(57)【特許請求の範囲】
【請求項１】
液晶パネルと、前記液晶パネルの背面側に順に位置する液晶シャッタ及び導光板と、前記導光板の端面に対向するランプセットと、前記液晶パネル及び前記液晶シャッタ及び前記導光板の各縁部を支持する枠体と、平坦部が前記導光板の背面側に配置され、側面が前記ランプセットを支持する固定板と、前記固定板に対して第１距離だけ離れて背面側に位置し、前記固定板に部分的に支持された支持板と、前記支持板の背面側に配置された回路基板と、一端が前記液晶パネルの縁部に接続され、他端が前記回路基板の縁部に接続されたフレキシブル基板と、前記各部品を覆い、額縁状に形成された外枠とを備え、前記液晶シャッタは印加電圧がオンの時には透明になり、印加電圧がオフの時には乳白色となり、前記導光板と前記固定板と前記外枠には各々、略中央に開口部が形成され、前記外枠の開口部に隣接する前記額縁の内部において、前記支持板及び前記回路基板及び前記フレキシブル基板が配置された事を特徴とする液晶表示装置であります。
【請求項２】
前記フレキシブル基板は、テープキャリヤパッケージ（以下、ＴＣＰと呼ぶ）からなる事を特徴とする請求項１の液晶表示装置。
【請求項３】
前記ＴＣＰは、第１部分が前記一端から、前記枠体の底部近傍および前記枠体の側部近傍を経て終端に延び、第２部分が前記終端から、前記回路基板の端面近傍まで延び、前記第２部分が前記回路基板に対して、傾斜して配置されている事を特徴とする請求項２の液晶表示装置。
【請求項４】
前記支持板は、前記固定板に対し平行に位置する平坦部と、前記平坦部の両端に各々つながり、前記液晶パネルの前面側に延び、更に直角に延びる１対の第１固定部が形成され、前記第１固定部が前記固定板に固定されることにより、前記第１距離が維持される事を特徴とする請求項１の液晶表示装置。
【請求項５】
前記支持板は、前記平坦部の両端に各々つながり、前記回路基板に向かって延び、更に直角に延びる１対の第２固定部が形成され、前記回路基板が第２固定部上に固定されることにより、前記平坦部と前記回路基板との間に、第２距離が維持される事を特徴とする請求項４の液晶表示装置。
【請求項６】
前記支持板は、前記平坦部において、開口が形成され、前記開口の近傍にて、前記液晶パネルの前面側に延び、更に直角に延びる第３固定部が形成され、前記固定板は、背面側に突起する突起部が形成され、前記第３固定部が前記突起部に固定される事を特徴とする請求項４の液晶表示装置。
【請求項７】
前記平坦部の一端に形成される前記第１固定部と、前記平坦部の他端に形成される第１固定部とを結ぶ第１仮想線と、前記回路基板に向かって延び、さらに直角前記平坦部の一端に形成され、前記第２固定部と、前記平坦部の他端に形成される第２固定部とを結ぶ第２仮想線とが交差する様に、前記各第１固定部および前記各第２固定部が配置されている事を特徴とする請求項５の液晶表示装置。
【発明の詳細な説明】
【技術分野】
【０００１】
本発明は、液晶表示装置に関し、特にアミューズメント用の液晶表示装置に関する。
【背景技術】
【０００２】
従来、液晶表示装置を用いた回動式遊技機の一例を図１２及び図１３を用いて説明する（下記特許文献１を参照）。なお、図１２は従来の回動式遊技機１００の外観斜視図であり図１３は回転表示体１０２、液晶パネル１１６及び液晶シャッタ１１２の配置関係を示す縦断面図である。この回動式遊技機１００は、その筐体１０１の前面のほぼ中央上部に、筐体１０１内に配設した３個の回転表示体１０２ａ〜１０２ｃの表面が臨む３個の表示窓１０３ａ〜１０３ｃが横並びに設けられている。
【０００３】
この回動式遊技機１００の遊技結果表示部は、３個の回転表示体１０２ａ〜１０２ｃからなる第１表示手段と、第１表示手段の手前に配置された液晶パネル１１６からなる第２表示手段と、前記第１表示手段と第２表示手段との間に配置された液晶シャッタ１１２からなる第３表示手段とを有する。第２表示手段は透過表示部（図示しない）を有し第１表示手段の表示を透過させて表示可能にし、第３表示手段は第１表示手段の表示を遮蔽するか又は透過させる３個の表示遮蔽部１１３ａ〜１１３ｃを有する。
【０００４】
また遊技機１００は、表示遮蔽部１１３ａ〜１１３ｃを第１表示手段の表示を遮蔽する状態と第１表示手段の表示を透過する状態とのいずれかに変換制御する変換制御手段を有している。
【０００５】
このうち、回転表示体１０２ａ〜１０２ｃの内部には回転表示体を照明するための３個のバックライト１１７ａ〜１１７ｃが配設されており、回転表示体１０２ａ〜１０２ｃの前方側には、液晶パネル１１６及び液晶シャッタ１１２を背面側から照明するとともに、回転表示体を表面側から照明するための前方照明装置１１８ａ、１１８ｂが配置されている。
【特許文献１】特開２００４−２８３５４８号公報
【発明の開示】
【発明が解決しようとする課題】
【０００６】
本発明者は、図１３を参照して、遊戯機１００用の液晶表示装置を製造した。即ち、液晶パネル１１６および液晶シャッタ１１２を覆う外枠を設けた。外枠は、右側に開口部を有し、額縁状に形成されている。液晶パネル１１６と、液晶シャッタ１１２と、導光板と固定板を配置し、導光板と固定板と外枠の中央部に各々、開口部を形成した。
【０００７】
外枠の額縁の内部において、固定板上に、絶縁テープを介して回路基板を配置した。額縁の内部において、一端が液晶パネル１１６の縁部に接続され、他端が回路基板の縁部に接続されたフレキシブル基板を配置した。
【０００８】
しかし、汎用品のフレキシブル基板は、通常、液晶パネル１１６の背面側に設けられる底板に固定される回路基板に接続される様に、比較的、長さが長く設計されている。そのため、本発明者が製造した液晶表示装置において、このフレキシブル基板及びそれに接続された回路基板との組立品は長くなる。そのため、この組立品を収納する額縁も幅広となり、外枠の外形（幅）が大きくなる、第１の欠点がある。
【０００９】
また、外形を大きくしないために、額縁の幅をそのままとし、外枠の開口部を小さくすれば、使用者（ユーザ）は、開口部を介して、その背面側に位置する回転表示体１０２ａ〜１０２ｃを視認しにくくなる、第２の欠点がある。
【００１０】
この欠点を解消するために、本発明者は、短いフレキシブル基板を検討したが、汎用品でないためコストが高くなる、第３の欠点がある。そこで、本発明者は、この様な従来の欠点を考慮し、外枠の幅を大きくすることなく、開口部を小さくすることなく、コストが安い、液晶表示装置を提供する。
【課題を解決するための手段】
【００１１】
上述した課題を解決するために、請求項１の本発明では、液晶パネルと、前記液晶パネルの背面側に順に位置する液晶シャッタ及び導光板と、前記導光板の端面に対向するランプセットと、前記液晶パネル及び前記液晶シャッタ及び前記導光板の各縁部を支持する枠体と、平坦部が前記導光板の背面側に配置され、側面が前記ランプセットを支持する固定板と、前記固定板に対して第１距離だけ離れて背面側に位置し、前記固定板に部分的に支持された支持板と、前記支持板の背面側に配置された回路基板と、一端が前記液晶パネルの縁部に接続され、他端が前記回路基板の縁部に接続されたフレキシブル基板と、前記各部品を覆い、額縁状に形成された外枠とを備え、前記液晶シャッタは印加電圧がオンの時には透明になり、印加電圧がオフの時には乳白色となり、前記導光板と前記固定板と前記外枠には各々、略中央に開口部が形成され、前記外枠の開口部に隣接する前記額縁の内部において、前記支持板及び前記回路基板及び前記フレキシブル基板が配置された。
【００１２】
請求項２の本発明では、前記フレキシブル基板は、テープキャリヤパッケージ（以下、ＴＣＰと呼ぶ）からなる。
【００１３】
請求項３の本発明では、前記ＴＣＰは、第１部分が前記一端から、前記枠体の底部近傍および前記枠体の側部近傍を経て終端に延び、第２部分が前記終端から、前記回路基板の端面近傍まで延び、前記第２部分が前記回路基板に対して、傾斜して配置されている。
【００１４】
請求項４の本発明では、前記支持板は、前記固定板に対し平行に位置する平坦部と、前記平坦部の両端に各々つながり、前記液晶パネルの前面側に延び、更に直角に延びる１対の第１固定部が形成され、前記第１固定部が前記固定板に固定されることにより、前記第１距離が維持される。
【００１５】
請求項５の本発明では、前記支持板は、前記平坦部の両端に各々つながり、前記回路基板に向かって延び、更に直角に延びる１対の第２固定部が形成され、前記回路基板が前記第２固定部上に固定されることにより、前記平坦部と前記回路基板との間に、第２距離が維持される。
【００１６】
請求項６の本発明では、前記支持板は、前記平坦部において、開口が形成され、前記開口の近傍にて、前記液晶パネルの前面側に延び、更に直角に延びる第３固定部が形成され前記固定板は、背面側に突起する突起部が形成され、前記第３固定部が前記突起部に固定される。
【００１７】
請求項７の本発明では、前記平坦部の一端に形成される第１固定部と、前記平坦部の他端に形成される第１固定部とを結ぶ第１仮想線と、前記平坦部の一端に形成される第２固定部と、前記平坦部の他端に形成される第２固定部とを結ぶ第２仮想線とが交差する様に前記各第１固定部および前記各第２固定部が配置されている。
【発明の効果】
【００１８】
請求項１の本発明では、外枠の額縁内において、固定板に対して第１距離だけ離れた背面側に支持板を配置し、支持板の背面側に回路基板を配置した。その結果、従来と比べ、固定板に対し、回路基板は背面側に遠い位置となるので、従来のフレキシブル基板を使っても、外枠の額縁の幅は従来より大きくならない。また、外枠の開口部も小さくならない。更に、新規に開発したフレキシブル基板を用いることがないので、コストも安くなる。
【００１９】
請求項２の本発明では、前記フレキシブル基板は、テープキャリヤパッケージにて構成するので、ドライバ用ＩＣが内蔵されており、ＩＣ用の配線を行う手間が省ける。
【００２０】
請求項３の本発明では、ＴＣＰの第２部分は回路基板に対して傾斜している。その結果第２部分は大きなＲ形状に形成されることがないので、ＴＣＰ上に載置されたＩＣに、大きな応力がかかる事を防止できる。
【００２１】
請求項４に述べた構成により、第１距離（即ち、固定板と支持板との距離）は、正確に維持される。
【００２２】
請求項５に述べた構成により、第２距離（即ち、支持板に形成された平坦部と回路基板との距離）は正確に維持される。その結果、回路基板の裏面の配線が導電体に接触して、短絡することを防止できる。
【００２３】
請求項６に述べた構成により、新しく部品を追加することなく、支持板は固定板に確実に固定される。また、固定板は背面側に突起する突起部が形成され、その突起部上に、支持板の第３固定部を載置し、ネジ等で締結する。その結果、ネジの先端が、固定板の前面側に配置された反射シートおよび導光板に当接することを防止できる。
【００２４】
請求項７に述べた構成により、固定板に対し、支持板の両端に形成された１対の第１固定部は、互いに斜め位置に配置され、支持板がぐらつくことを防止できる。同様に、回路基板に対し、支持板の両端に形成された１対の第２固定部は、互いに斜め位置に配置され、回路基板がぐらつくことを防止できる。
【発明を実施するための最良の形態】
【００２５】
以下、本発明の具体例を実施例及び図面を用いて詳細に説明する。
【実施例】
【００２６】
本発明の実施例に係る液晶表示装置Ｘを図１〜図１１に示す。図１は本発明の実施例における液晶表示部Ｙと回路基板支持部Ｚの構成を示す背面斜視図、図２は図１の液晶表示部Ｙの主要構成部品を示す分解斜視図、図３は図１におけるＡ１−Ａ２断面図、図４は図１におけるＢ１−Ｂ２断面図、図５は上記液晶表示装置Ｘにおける主要部の斜視図、図６は図５から回路基板を外した斜視図、図７は図６におけるＥ１−Ｅ２断面図、図８は上記液晶表示装置Ｘに用いられる支持板の斜視図、図９は図１におけるＣ１−Ｃ２断面図、図１０は図１におけるＤ１−Ｄ２断面図、図１１は図１における回路基板支持部Ｚのカバーを取り外した状態を示す斜視図である。
【００２７】
本発明に係る液晶表示装置Ｘは、図１の背面斜視図に示すように、液晶表示部Ｙと回路基板支持部Ｚとからなる。液晶表示部Ｙの外枠９の背部１７と外側部１８の内部には、液晶パネル２に接続された回路基板２０と、他の回路基板２１が設けられている。回路基板支持部Ｚには、外枠９の背部１７ａに垂直に配置された回路基板支持部Ｚが設けられている。回路基板支持部Ｚにおいて、回路基板２０および他の回路基板２１と電気的に接続された他の回路基板２２が設けられている。
【００２８】
まず、図１の液晶表示部Ｙの分解斜視図である図２を用いて、液晶表示部Ｙの主要構成部品について説明する。液晶表示部Ｙは、開口部１ａを有する前面枠１の背面側に向けて液晶パネル２が設けられている。液晶パネル２の背面側に順に位置する液晶シャッタ３と拡散シート類３５（図２では、図示せず）と、導光板４と、反射シート５とを備えている。導光板４の端面４ａに対向して、光源であるランプセット６ａが配置されている。導光板４の端面４ｂに対向して、光源であるランプセット６ｂが配置されている。
【００２９】
導光板４及び反射シート５には、この反射シート５の上方に配置された回転表示体等による表示物（例えば絵柄など）（図示せず）が、液晶パネル２の前面側から見えるようにするために、略中央部に、各々、開口部１３，５ａが設けられている。
【００３０】
導光板４は、ランプセット６ａとランプセット６ｂとを導光板４の端面４ａ、４ｂに密接に対向させて、額縁状の枠体８内に載置されている。枠体８は、液晶パネル２と、液晶シャッタ３と、導光板４と、反射シート５の各縁部を支持している（図４参照）。
【００３１】
固定板７は、その中央部には導光板４及び反射シート５と同様の開口部１４が形成されている。固定板７の平坦部１１ｆは、導光板４の背面側（詳細には、反射シート５の背面側）に配置され、側面１１ａ，１１ｂは各々ランプセット６ａ，６ｂを支持している。
【００３２】
一端が、液晶パネル２の縁部に接続され、他端が回路基板２０に接続されたフレキシブル基板３６が設けられている。このフレキシブル基板３６は例えば、テープキャリヤパッケージ（ＴＣＰ）から構成される。また、テープキャリヤパッケージ（ＴＣＰ）は例えば、ＴＡＢ（Tape Automated Bonding）により、製造される。
【００３３】
上述の説明と異なり、液晶パネル２の縁部に配線パターンが形成され、ドライバ用ＩＣの各入力端子は、上記配線パターンの一側に接続されても良い（ＣＯＧと呼ぶ）。そして
フレキシブル基板３６の一端は、上記配線パターンの他側に接続されても良い。なお、以下の説明では、フレキシブル基板３６は、テープキャリヤパッケージ（ＴＣＰ）から構成される、として、説明する。
【００３４】
同様に、一端が、液晶パネル２の縁部に接続され、他端が他の回路基板２１に接続されたフレキシブル基板（図示せず）が設けられている。
【００３５】
前面枠１は、前面側が開放され、略中央部に開口部１ａが形成され、箱状に形成されている。液晶パネル２の縁部および枠体８の底面は前面枠１の底部上に配置されている（図４参照）。図１０に示す様に、枠体８の側面１２ａにおいて、外側に向かって突出する突出部３７が形成されている。
【００３６】
前面枠１の側面において、孔３８が形成されている。この突出部３７が孔３８に係合される事により、前面枠１は枠体８に固定されている（図２と図４と図１０を参照）。
【００３７】
図４に示す様に、外枠９は、上記各部品２，３，３５，４，５，６ａ，６ｂ，７を覆い固定板７の背面側に配置され、額縁状に形成されている。外枠９の具体的な固定方法は、後述する。
【００３８】
外枠９は、中央に開口部１６を備え、その背部１７ａ〜１７ｄから延びた外側部１８ａ〜１８ｄが垂直の壁面として形成されている。背部１７ａから、外枠９の背面に垂直に配置固定された回路基板支持部Ｚが設けられている。
【００３９】
前面枠１と、拡散シート類３５と、導光板４と、反射シート５と、固定板７と、外枠９には、略中央部に各々、開口部１ａ，３５ａ，１３，５ａ，１４，１６が形成されている。
【００４０】
外枠９の開口部１６の周辺には、背面側に延びる内側部１６ｂが形成されている。すなわち、外枠９の内側部１６ｂは、背部部１７ａにつながって、形成されている（図４を参照）。
【００４１】
固定板７は、開口部１４の周辺に、パッキン３９が配置されている。パッキン３９の背面は、内側部１６ｂの底面が当接している。パッキン３９は例えば、発泡ウレタンや、天然ゴムや、シリコンゴムからなり、弾性力を有するものである。
【００４２】
図４に示した様に、外枠９に形成された開口部１６に臨む背部１７ａに、シール材（図示せず）を介して、透明パネル２５が接着されている。
【００４３】
図４に従い、この液晶表示装置Ｘの第１の特徴を、以下にまとめる。液晶パネル２と、液晶パネル２の背面側に順に位置する液晶シャッタ３及び導光板４とが設けられている。導光板４の端面に対向するランプセット６ａと、液晶パネル２及び液晶シャッタ３及び導光板４の各縁部を支持する枠体８が設けられている．
平坦部１１ｆが導光板４の背面側に配置され、側面１１ａがランプセット６ａを支持する固定板７が設けられている。固定板７に対して第１距離だけ離れて背面側に位置し、固定板７に部分的に支持された支持板４０が設けられている。
【００４４】
支持板４０の背面側に配置された回路基板２０が設けられている。一端が液晶パネル２の縁部に接続され、他端が回路基板２０の縁部に接続されたフレキシブル基板３６が設けられている。
【００４５】
前記各部品を覆い、額縁状に形成された外枠９が設けられている。導光板４と固定板７と外枠９には各々、略中央に開口部１３，１４，１６が形成されている。外枠９の開口部１６に隣接する額縁４１の内部において、支持板４０と、回路基板２０と、フレキシブル基板３６と、支持板４０等が配置されている。
【００４６】
次に図４に従い、この液晶表示装置Ｘの第２の特徴を、以下にまとめる。フレキシブル基板３６は、テープキャリヤパッケージＴＣＰからなる。
【００４７】
更に図４に従い、この液晶表示装置Ｘの第３の特徴を、以下にまとめる。ＴＣＰ３６の第１部分３６ａは、液晶パネル２の縁部に接続された一端から、枠体８の底部近傍および枠体８の側部近傍を経て終端３６ｂに延びた部分である。
【００４８】
第２部分３６ｃは、この終端３６ｂから、回路基板２０の端面近傍まで延び、第２部分３６ｃは、回路基板２０に対して、傾斜して配置されている。
【００４９】
次に、図４と図６と図７と図８に従い、液晶表示装置Ｘの第４の特徴を、以下にまとめる。支持板４０は、固定板７に対し平行に位置する平坦部４０ａが形成されている。平坦部４０ａの両端に各々つながり、液晶パネル２の前面側に延び、更に直角に延びる１対の第１固定部４０ｂ，４０ｃが形成されている。第１固定部４０ｂ，４０ｃが固定板７に固定されることにより、前記第１距離が維持されている。
【００５０】
更に、図４ないし図８に従い、液晶表示装置Ｘの第５の特徴を、以下にまとめる。支持板４０は、平坦部４０ａの両端に各々つながり、回路基板２０に向かって延び、更に直角に延びる１対の第２固定部４０ｄ、４０ｅが形成されている。回路基板２０が第２固定部４０ｄ、４０ｅ上に固定されることにより、平坦部４０ａと回路基板２０との間に、第２距離が維持されている。
【００５１】
次に、図４ないし図８に従い、液晶表示装置Ｘの第６の特徴を、以下にまとめる。支持板４０は、平坦部４０ａにおいて、開口４０ｆが形成されている。この開口４０ｆの近傍にて、液晶パネル２の前面側に延び、更に直角に延びる第３固定部４０ｇが形成されている。固定板７は、背面側に突起する突起部７ａが形成されている。第３固定部４０ｇが突起部７ａに固定されている。
【００５２】
更に、図４ないし図８に従い、液晶表示装置Ｘの第７の特徴を、以下にまとめる。平坦部４０ａの一端に形成される第１固定部４０ｂと、平坦部４０ａの他端に形成される第１固定部４４０ｃとを結ぶ第１仮想線Ｆ１と、平坦部４０ａの一端に形成される第２固定部４０ｄと、平坦部４０ａの他端に形成される第２固定部４０ｅとを結ぶ第２仮想線Ｆ２とが交差する様に、各第１固定部４０ｂ，４０ｃおよび各第２固定部４０ｄ，４０ｅが配置されている（図８参照）。
【００５３】
なお、図８に示した支持板４０において、平坦部４０ａの一つの長辺に対し、液晶パネル２の前面側を向く様に、折り曲げ部４０ｈが形成されている。折り曲げ部４０ｈの２ケ所において、折り曲げ部４０ｈに対し、直角に曲げられた突出部４０ｉが形成されている。この突出部４０ｉは、固定板７に形成された背高部１１ｇに当接する様に構成されている（図４と図６を参照）。
【００５４】
更に、図８に示す様に、支持板４０において、平坦部４０ａの他の長辺に対し、液晶パネル２の前面側を向く様に、折り曲げ部４０ｊが形成されている。支持板４０の平坦部４０ａの適所において、回路基板２０に向かって延び、更に、内側に向かって直角に延びる引掛部４０ｋが形成されている。
【００５５】
図５に示す様に、回路基板２０は、支持板４０に形成された第２固定部４０ｅ，４０ｄ
上に載置され、ネジにより固定されている。この時、引掛部４０ｋは、回路基板２０の背面を支持する事により、回路基板２０がぐらつくことを防止している。
【００５６】
また、図１１に示した他の回路基板２２に設けられたコネクタ３０には、フレキシブル配線基板２８の一端が接続されている。そして、図５に示したコネクタ４２には、上記フレキシブル配線基板２８の他端が接続されている。以上にて、この液晶表示装置Ｘの特徴的な構成の説明を終わる。
【００５７】
図１の実施例におけるＡ１−Ａ２の側断面図である図３において、液晶表示装置Ｘの液晶表示部Ｙは、液晶パネル２と，液晶表示部Ｙの上方に置かれた、図示しない回転表示体等による表示物（例えば絵柄など）との間に液晶シャッタ３を有する。この液晶シャッタ３は高速スイッチングが可能であり、開いた時（印加電圧がオン状態の時）には透明になる。
【００５８】
液晶シャッタ３が透明になると、液晶表示部Ｙの上方には、リフレクタ２３に取り付けた表示物（例えば絵柄など）投影光源２４が点灯している。その結果、液晶表示部Ｙの背面に配置した回転表示体等による表示物（例えば絵柄など）が外枠９の開口部１６を介して見えるようになる。この時、開口部１６部分を除く液晶パネル２の縁部の液晶表示は、液晶表示部Ｙの前面側から、遊技者に見えるようになる。
【００５９】
また、液晶シャッタ３は、閉じたとき（印加電圧がオフ状態の時）には乳白色となって表示物（例えば絵柄など）が見えなくなり、導光板４の役目を果たす。このとき、表示物（例えば絵柄など）投影光源２４は点灯しているので、導光板４及び液晶シャッタ３は照光されている。その結果、遊技者は液晶パネル２の中央部及び縁部において所定の液晶表示を見ることができるようになる。
【００６０】
図４に示すように、液晶シャッタ３は、枠体８に段部１０を形成して液晶シャッタ３をその段部１０上に配置することにより、液晶パネル２と液晶シャッタ３との間に所定の間隙Ｇ、例えば０．４ｍｍの間隙が設けられる。その結果、液晶パネル２と液晶シャッタ３との間で、光の干渉を生じることがなくなり、液晶パネル２におけるモアレ現象の発生を防止することができるようになる。
【００６１】
また、図２に示したように、固定板７はその中央に開口部１４が形成され、四辺には、側面１１ａ〜１１ｄが形成されている。これらの側面の一つである１１ａと導光板４との間にランプセット６ａを固定し、対向する辺の側面１１ｂと導光板４との間にランプセット６ｂを固定している。
【００６２】
図４に示す様に、ランプセット６ａ、６ｂの反射板６ｃ、６ｄは、枠体８と固定板７と導光板４とに挟まれて固定される。これにより各ランプセットは導光板４と密着するので光漏れを防止できるため、遊技者の目の疲労を軽減することができる。
【００６３】
また、図示するように、導光板４には、その開口部１３に臨む位置において、液晶パネル２に向かって広がりを有する傾斜面４ｃ、４ｄが形成されている。その結果、導光板４の垂直内端面がなくなるから、傾斜面４ｃ、４ｄがない場合に比較すると、前面の斜め前から見たときに開口部１３がぎらつくことが緩和され、遊技者の眼に対する刺激が傾斜面４ｃ、４ｄで和らげられて不快感が減少するので好ましい。
【００６４】
さらに、図２と図４に示すように、枠体８には側面１２ａ〜１２ｄが形成され、固定板７に形成された側面１１ａ〜１１ｄとそれぞれ係合させている。すなわち、固定板７の長辺の側面１１ａ、１１ｂは、枠体８の長辺の側面１２ａ、１２ｂの内側に嵌合されている。短辺の側面１１ｃ、１１ｄは、枠体８の短辺の側面１２ｃ、１２ｄの上側に設けた溝８ｅの立ち上がり部８ｆに嵌合され、これにより固定板７は枠体８に容易に固定される（図９参照）。
【００６５】
図２と、図１０のＤ１−Ｄ２側断面図に示すように、外枠９には開口部１６が形成されている。開口部１６を囲む背部１７ａ，１７ｂの外側に位置する様に、枠体８は立ち上がり部８ｇが形成されている。外枠９の所定部に設けた孔と、それぞれ対応する位置にある固定板７の折り曲げ部１１ｅに形成された孔と、枠体８の立ち上がり部８ｇに形成された孔とを締結部品１９で結合し、一体に固定することにより、外枠９は枠体８に固定されている。この様にして、液晶表示部Ｙは容易に組み立てることができる。
【００６６】
液晶パネル２に対して、ＴＣＰ方式で取り付けたドライバーＩＣ搭載の回路基板２０と他の回路基板２１は、ともに前面枠１と外枠９内に収納される。回路基板２０は外枠９の幅広の背部１７ａと、外側部１８ａとの間に配置されている。他の回路基板２１は外枠９の幅狭の背部１７ｃと、外側部１８ｃとの間に配置されている。外枠９の開口部１６の背面は透明なアクリルなどの透明パネル２５で覆われ、液晶表示装置Ｘに塵などが入らないようになっている（図４参照）。
【００６７】
図１１は、本発明の実施例において、回路基板支持部Ｚのカバーを取り外した状態であり、液晶表示部Ｙの背面側から見た背面斜視図である。外枠９には、その背部１７から外側部１８が垂直の壁面として形成されている。幅広の背部１７ａと、それに連なる外側部１８ａで形成される角が、一部分除去されて孔９ａが設けられている。
【００６８】
この孔９ａを塞ぐように、孔９ａに沿って外枠９の背面に、箱型の回路基板支持板２６が背部１７ａに垂直に配置され、螺子２７で固定されて、回路基板支持部Ｚが形成されている。箱型の回路基板支持板２６は、その下部に設けた嵌合部２６ａを背部１７ａに設けたスリット９ｂに側面から差し込むことによって位置決めされ、螺子２７で固定される。
【００６９】
外枠９の内部に、背部１７ａと外側部１８ａ並びに背部１７ｃと外側部１８ｃの間にそれぞれ液晶パネル２に接続された回路基板２０と、他の回路基板２１は配置されている。回路基板２０と、他の回路基板２１からは、他の回路基板２２に接続されるフレキシブル配線基板２８、２９が孔９ａを通して引き出される。
【００７０】
外枠９の背面に垂直に配置した回路基板支持板２６に、回路基板２０と、他の回路基板２１を制御する、他の回路基板２２は取り付け、固定される。支持された他の回路基板２２に、回路基板２０と、他の回路基板２１から引き出されたフレキシブル配線基板２８、２９が接続される。なお、符号３０、３１は他の回路基板２２に搭載したコネクタである。また、符号３２は外部接続用のコネクタであり、その他の部品等は図示を省略している。
【００７１】
このように、外枠９の背面に対し、回路基板支持板２６を垂直に設け、回路基板支持板２６に他の回路基板２２を取り付ける。その結果、他の回路基板２２は、外枠９の開口部１６の背面側に、はみだすことがない。その結果、遊技者は開口部１６の背面側に位置する回転表示体等による表示物（例えば絵柄など）の全体を、他の回路基板２２により邪魔されることなく、液晶パネル２の前面側から見ることができるようになる。
【００７２】
このような構成による液晶表示装置Ｘの動作は下記のとおりである。遊技者がコインを投入してゲームをスタートさせると、かかる液晶表示装置Ｘを有する遊技機は、液晶パネル２の背面側に、導光板４、固定板７、外枠９の各開口部１３、１４、１６と同じ位置に透光部分を残して開口部を形成し、開口部以外の面上に各種の装飾、ゲーム内容等の表示を行う。
【００７３】
それと同時に、遊技装置は回転表示体を、外枠９の背面側で回転させて、その表示物（例えば絵柄など）を液晶パネル２の開口部１ａから見えるようにする。遊技者は、回転表示体を高速回転させた状態で、開口部１ａ内の高速で移動する表示物（例えば絵柄など）を監視して目押しを行って、所定のゲームを楽しむことができる。
【図面の簡単な説明】
【００７４】
【図１】本発明の実施例における液晶表示部Ｙと回転基板支持部Ｚの構成を示す背面斜視図である。
【図２】図１の液晶表示部Ｙの主要構成部品を示す分解斜視図である。
【図３】図１における、Ａ１−Ａ２側断面図である。
【図４】図１における、Ｂ１−Ｂ２側断面図である。
【図５】本発明の実施例における、主要部の模式図である。
【図６】図５から回路基板２０を外した斜視図である。
【図７】図６における、Ｅ１−Ｅ２側断面図である。
【図８】液晶表示装置Ｘに用いられる支持板４０の斜視図
【図９】図１における、Ｃ１−Ｃ２側断面図である。
【図１０】図１におけるＤ１−Ｄ２断面図である。
【図１１】図１における回路基板支持部Ｚのカバーを取り外した状態を示す斜視図である。
【図１２】従来の回動式遊技機の一例を示す外観斜視図である。
【図１３】従来の回動式遊技機における回転表示体、液晶パネル及び液晶シャッタの関係を示す模式的説明図である。
【符号の説明】
【００７５】
１  前面枠
２  液晶パネル
３  液晶シャッタ
４  導光板
４ａ、４ｂ  端面
４ｃ、４ｄ  傾斜面
５  反射シート
６ａ  ランプセット
６ｂ  ランプセット
７  固定板
８  枠体
８ｅ  溝
８ｆ，８ｇ  立ち上がり部
９  外枠
１０  段部
１１ａ〜１１ｄ  側面
１２ａ〜１２ｄ  側部
１３  開口部
１４  開口部
１６  開口部
１７，１７ａ〜１７ｄ  背部
１８，１８ａ〜１８ｄ  外側部
１９  締結部品
２０  回路基板
２１  他の回路基板
２２  他の回路基板
２５  透明パネル
【図１】
0004501795.tif 000002
【図２】
0004501795.tif 000003
【図３】
0004501795.tif 000004
【図４】
0004501795.tif 000005
【図５】
0004501795.tif 000006
【図６】
0004501795.tif 000007
【図７】
0004501795.tif 000008
【図８】
0004501795.tif 000009
【図９】
0004501795.tif 000010
【図１０】
0004501795.tif 000011
【図１１】
0004501795.tif 000012
【図１２】
0004501795.tif 000013
【図１３】
0004501795.tif 000014